(57)【要約】【目的】  貴重品に添付されているＩＣタグに、その貴重品の関連情報を再生表示しやすい形で記録することができ、さらにＩＣタグを用いて、その貴重品の盗難や紛失防止を可能にしたり、貴重品をその所有者の本人確認やセキュリティなどに用いることを可能にする貴重品管理システムの実現を目的とする。【構成】  貴重品に附されるタグ１０と、このタグに記録された情報を読み取る読取手段と、読み取った情報を再生、表示する表示手段と、読取手段で読み取った情報を通信回線を介して送信する送信手段とを備えた端末３０と、通信回線を介して前記端末と接続され、送信手段で送信された情報をもとに記憶している記録情報を返送するサーバ６１，６２とを備えて構成され、貴重品１０に関連する情報を記録するとともに、タグに記録された情報の読取により貴重品１０の所在を管理することを特徴とする。【選択図】  図１
2012073382.tif 000002
【特許請求の範囲】
【請求項１】
宝石、ブランド品などの高価な貴重品や記念となる品（以下単に貴重品と記述する）に附されるタグと、
このタグに記録された情報を読み取る読取手段と、この読取手段で読み取った前記情報を再生、表示する表示手段と、前記読取手段で読み取った前記情報を通信回線を介して送信する送信手段とを備えた端末と、
前記通信回線を介して前記端末と接続され、前記送信手段で送信された情報を受信してこの情報をもとに記憶している記録情報を前記端末に返送するサーバと、を備えて構成され、
前記貴重品に関連する情報を前記タグまたは前記サーバに記録するとともに、前記タグに記録された情報の読取により前記貴重品に関連する情報を再生しまたは表示することを特徴とする貴重品の関連情報提供システム。
【請求項２】
前記情報は、前記貴重品に関して、その全容、形状、寸法、重量、色彩、模様、構造などの外観情報やそれを示す写真、絵画などを含むか、あるいは、これらの外観情報が記憶されているＳＤメモリカードのアドレスやサーバのＵＲＬなどのアドレス情報を含むことを特徴とする請求項１に記載の貴重品の関連情報提供システム。
【請求項３】
前記情報は、前記貴重品に関して、その製造者、製造年月日、製造番号、製造図面、製造回路、カタログなどの製造情報を含むか、あるいは、これらの製造情報が記憶されているＳＤメモリカードのアドレスやサーバのＵＲＬなどのアドレス情報を含むことを特徴とする請求項１に記載の貴重品の関連情報提供システム。
【請求項４】
前記情報は、前記貴重品に対して、それを贈ったり、作ったりした人の心情や思い入れ、贈与や作成にまつわる事情や、記念の言葉などの記念情報を含むか、あるいは、これらの記念情報が記憶されているＳＤメモリカードのアドレスやサーバのＵＲＬなどのアドレス情報を含むことを特徴とする請求項１に記載の貴重品の関連情報提供システム。
【請求項５】
前記情報は、前記貴重品を所持する者の住民票や保険証、運転免許書、パスポートの記載などの本人証明情報を含むことを特徴とする請求項１に記載の貴重品の関連情報提供システム。
【請求項６】
前記タグは、ＲＦＩＤまたはＩＣタグであることを特徴とする請求項１ないし５の何れか１項に記載の貴重品の関連情報提供システム。
【請求項７】
前記タグは、金属面用の磁界形のＲＦＩＤまたはＩＣタグであることを特徴とする請求項６に記載の貴重品の関連情報提供システム。
【請求項８】
前記タグは、前記貴重品の内部に埋め込まれていることを特徴とする請求項６または７に記載の貴重品の関連情報提供システム。
【請求項９】
前記端末は、携帯電話端末を含む携帯端末であることを特徴とする請求項１ないし８の何れか１項に記載の貴重品の関連情報提供システム。
【請求項１０】
前記端末を、自宅、金庫、自動車などのドアに設置し、前記貴重品に付された前記タグからの情報を読み取らせて、前記タグの情報をセキュリティキーとして用いることを特徴とする請求項６または７に記載の貴重品の関連情報提供システム。
【請求項１１】
前記端末は、定期的に前記タグの情報を読み取ることで、前記貴重品の所在を検出する位置検出手段を備えることを特徴とする請求項６または７に記載の貴重品管理システム。
【請求項１２】
前記端末は、撮像手段を備え、前記位置検出手段が前記貴重品の所在の異常を検出したときに撮像を行うことを特徴とする請求項１１に記載の貴重品の関連情報提供システム。
【発明の詳細な説明】
【技術分野】
【０００１】
本発明は、貴重品の関連情報提供システムに関し、特に、ＩＣカード、ＩＣタグ、ＲＦＩＤ等（以下、単に「ＩＣタグ」という）を用いた宝石、ブランド品、記念品あるいは遺品などの貴重品（以下、これらをまとめて「貴重品」という）にまつわる関連情報を提供することを図った貴重品の関連情報提供システムに関する。
【背景技術】
【０００２】
ＩＣタグを用いた貴重品管理装置の例として、例えば、保管装置内の貴重品に設けられたＩＣタグのＩＤコードを通信回線を介して管理サーバに送信することで、貴重品の盗難や不正使用などの異常事態を検出して、これを防止する装置が報告されている（特許文献１参照）。【０００３】
しかし、この例では、ＩＣタグに記録されている情報は単なるコードに過ぎず、ＩＣタグに記録された情報をそのまま意味ある情報として生かして利用するようにはなされていない。
本発明では、タグに記録された情報が、コードとして通信、検索用のアドレスとして用いられるのは勿論のことであるが、そのコードによって発生する情報をそのまま音声信号、文字情報、画像情報として再生することが重要で、タグ情報の広範な利用が可能な貴重品管理システムを目指すものである。
【先行技術文献】
【特許文献】
【０００４】
【特許文献１】特開２００５−１４６６４６号公報
【発明の概要】
【発明が解決しようとする課題】
【０００５】
以上に例示した特許文献１に示された装置では、ＩＣタグに記録されている情報は単にＩＤコードとして用いているにすぎない。
本発明は、この点を改めて、貴重品に添付されているＩＣタグに、その貴重品の品質、価値、由来、製造情報、外観や色彩、贈ったあるいは作成した人の心情、思い入れや経緯などの関連情報を、音声信号、文字情報、画像情報などに再生表示しやすい形で記録したり、ＩＣタグを用いて、その貴重品の所在の確認や安全保護を可能にしたり、ＩＣタグによって貴重品をその所有者の本人確認やセキュリティなどに用いるなどの利用を可能にする貴重品の関連情報提供システムの実現を課題とするものである。
【課題を解決するための手段】
【０００６】
以上の課題を解決するため、本発明の貴重品の関連情報提供システムは、宝石、ブランド品などの高価な貴重品や記念となる品に附されるタグと、このタグに記録された情報を読み取る読取手段と、この読取手段で読み取った前記情報を再生、表示する表示手段と、前記読取手段で読み取った前記情報を通信回線を介して送信する送信手段とを備えた端末と、前記通信回線を介して前記端末と接続され、前記送信手段で送信された情報を受信してこの情報をもとに記憶している記録情報を前記端末に返送するサーバと、を備えて構成され、前記貴重品に関連する情報を前記タグまたは前記サーバに記録するとともに、前記タグに記録された情報の読取により前記貴重品に関連する情報を再生しまたは表示することを特徴とする。【０００７】
ここで、前記情報は、前記貴重品に関して、その全容、形状、寸法、重量、色彩、模様、構造などの外観情報やそれを示す写真、絵画などを含むか、あるいは、これらの外観情報が記憶されているＳＤメモリカードのアドレスやサーバのＵＲＬなどのアドレス情報を含むことを特徴とする。【０００８】
また、前記情報は、前記貴重品に関して、その製造者、製造年月日、製造番号、製造図面、製造回路、カタログなどの製造情報を含むか、あるいは、これらの製造情報が記憶されているＳＤメモリカードのアドレスやサーバのＵＲＬなどのアドレス情報を含むことを特徴とする。【０００９】
さらに、前記情報は、前記貴重品に対して、それを贈ったり、作ったりした人の心情や思い入れ、贈与や作成にまつわる事情や、記念の言葉などの記念情報を含むか、あるいは、これらの記念情報が記憶されているＳＤメモリカードのアドレスやサーバのＵＲＬなどのアドレス情報を含むことを特徴とする。【００１０】
さらにまた、前記情報は、前記貴重品を所持する者の住民票や保険証、運転免許書、パスポートの記載などの本人証明情報を含むことを特徴とする。【００１１】
ここで、前記タグは、ＲＦＩＤまたはＩＣタグであることを特徴とする。【００１２】
また、前記タグは、金属面用の磁界形のＲＦＩＤまたはＩＣタグであることを特徴とする。【００１３】
また、前記タグは、前記貴重品の内部に埋め込まれていることを特徴とする。【００１４】
ここで、前記端末は、携帯電話端末を含む携帯端末であることを特徴とする。【００１５】
さらに、前記端末を、自宅、金庫、自動車などのドアに設置し、前記貴重品に付された前記タグからの情報を読み取らせて、前記タグの情報をセキュリティキーとして用いることを特徴とする。【００１６】
ここで、前記端末は、定期的に前記タグの情報を読み取ることで、前記貴重品の所在を検出する位置検出手段を備えることを特徴とする。【００１７】
また、前記端末は、撮像手段を備え、前記位置検出手段が前記貴重品の所在の異常を検出したときに撮像を行うことを特徴とする。
【発明の効果】
【００１８】
本発明は、以上のように構成することによって、貴重品に添付されているＩＣタグに、その貴重品の関連情報を再生表示しやすい形で記録することができ、さらにＩＣタグを用いて、その貴重品の盗難や紛失防止を可能にしたり、貴重品をその所有者の本人確認やセキュリティなどに用いたりすることを可能にする貴重品の関連情報提供システムを実現することができる。
【図面の簡単な説明】
【００１９】
【図１】（ａ）は本発明の貴重品管理システムの構成を示すブロック図であり、（ｂ）は本実施の形態の貴重品の関連情報提供システムの基本概念を示す図である。
【図２】埋め込み用の筒型ＩＣの実装の経緯を示す説明図である。
【図３】金属対応ＩＣのいくつかの例を示す外観斜視図である。
【図４】金属対応ＩＣの宝石指輪絵の実装例を示す説明図である。
【発明を実施するための形態】
【００２０】
以下、添付図面に基づき、本発明の一実施の形態の構成を説明する。
【００２１】
図１（ａ）は、本実施の形態の貴重品の関連情報提供システムのブロック図を示す図である。
図１（ａ）において、符号１０は貴重品、符号２０はＩＣタグ、符号３０はリーダ機能を有する端末、符号４０は基地局、符号５０はネットワーク、符号６１、６２はサーバである。
【００２２】
図１（ａ）に示すように、貴重品１０にはＩＣタグ２０が付着されている。この貴重品１０と端末３０との通信は、一般的には近傍通信（ＮＦＣ：Near Field Communication）によって行われる。即ち、ＩＣタグ２０は、ＲＦＩＤ（Radio Frequency IDentification）による近距離無線通信によって記憶している情報を端末３０に転送することができる。
このＩＣタグ２０は、専用のＩＣチップとアンテナコイルを一体化し、端末３０からの読取信号をベースとして動作する。ＩＣタグ２０のアンテナは、端末３０からの信号やエネルギーを受信し、更にＩＣチップの情報を乗せて送り返す。
【００２３】
図１（ｂ）は、本実施の形態の貴重品の関連情報提供システムの基本概念を示す図である。
図１（ｂ）に示すように、従来、紙やレコーダなどのアナログ媒体１００に記録されていた貴重品にまつわる関連情報を、本実施の形態の貴重品の関連情報提供システムでは、文字情報、画像情報、音声情報として電子情報化し、これらの情報をＩＣタグ２０に記録し、あるいは、容量が大きい場合にはＳＤメモリやサーバ６１，６２にこれらの情報を格納するとともにＩＣタグ２０にそのアドレス情報を記録し、端末３０でＩＣタグ２０からこれらの情報を読み取り、文字情報、画像情報、音声情報として表示または再生するようにしたものである。
【００２４】
図２に、このようなＩＣタグ２０の一例を示す。この例は真珠などの非金属の貴重品に埋め込んで用いる筒型のＩＣタグ２１である。
この筒型のＩＣタグ２１は図２（ａ）のように、円筒状の磁性体２１３に巻かれたコイル２１２にＩＣチップ２１１が接続されて構成され、図２（ｂ）のようにＩＣチップ２１１を磁性体２１３内に収めて形を整えた上を、図２（ｃ）のようにプラスチック２１４で覆い、図２（ｄ）のように磁性体２１３の中心に金属または糸を通してガイド２１５とする。
一方、真珠２１６には、図２（ｅ）のようにこの筒型のＩＣタグ２１がやっと通る穴を開け、図２（ｆ）のようにガイド２１５を用いてＩＣタグ２１を挿入して、必要があれば図２（ｇ）のように孔に蓋２１７をして封止剤（例えば、プラスチックや糊等）で封止する。
これにより、図２（ｈ）のように存在が目立たないＩＣタグ２１の実装が実現できる。
【００２５】
ところで、ＩＣタグ２０は情報を検知するために高周波電磁界を用いているため、金属面の近くでは影像効果（イメージ効果）による逆相の誘導電流が引き起こされるのでＩＣタグ２０と端末間の通信が著しく損なわれる。
これを防いで、貴金属部分を有する指輪などに用いるため、コイルを巻かれた薄い磁性体を用いて金属面の影響を受けない磁界を作った金属対応ＩＣタグ２２が用いられる。
図３（ａ）は、ＩＣチップ２２１とコイル２２２と磁性体２２３で構成された金属対応ＩＣタグ２２の例であり、図３（ｂ）は、そのＩＣチップ２２１部分がプラスチック２２４で封止された金属対応ＩＣタグ２２の例である。
また、図３（ｃ）は、磁性体２２３を金属板２２５で覆って感度を部分的にあげた金属対応ＩＣタグ２２の例であり、また、図３（ｄ）は、磁性体２２３の下に金属板２２５を設けることで上半分のみしか感度が得られないが磁界は２倍になる金属対応ＩＣタグ２２の例である。
【００２６】
図４は、この様な金属対応ＩＣタグ２２を金属製のリング２３２を備えた宝石２３１の指輪に設けた例の外観斜視図である。
【００２７】
端末３０はＩＣタグ２０から読み取った情報を、音声信号、文字情報、画像情報などとして再生表示することができる。また、ＩＣタグ２０から読み取った情報が、ＳＤメモリのアドレスやＵＲＬなどのアドレス情報などである場合、この情報を仲介にして、対応するＳＤメモリを装着して対応するアドレスから貴重品１０に関連する情報を読み取ったり、ネットワーク５０を経由してサーバ６１、６２にアクセスし、サーバ６１、６２に記憶されている貴重品１０に関連する情報を読み出したりすることができる。
図１では、端末３０を携帯電話端末として示したが、必ずしもこれに限らず、上記の機能が備わったものであれば携帯電話端末に限られることはない。
【００２８】
ところで、ＩＣタグ２０に記憶されている、またはＩＣタグ２０に記憶されたアドレス情報を介してＳＤメモリやサーバ６１、６２から読み出される貴重品１０に関連する情報としては、貴重品１０の外観情報、製造情報、記念情報、貴重品１０所持者の本人証明情報などが考えられる。
【００２９】
貴重品１０のＩＣタグ２０に記憶される外観情報は、貴重品１０の全容、形状、寸法、重量、色彩、模様、構造などの外観情報やそれらを示す写真、絵画などを含む情報であって、対象としている貴重品１０の価値を裏付ける意味を持ち、また、万一その貴重品が盗難に遭ったり紛失されたりした場合に、手配書に記述して貴重品１０を容易に識別することができるような情報である。
さらに、貴重品１０の価格や価値を示す鑑定書などをこの情報に加えてもよい。
【００３０】
貴重品１０のＩＣタグ２０に記憶される製造情報は、貴重品１０に関して、その製造者、製造年月日、製造番号、製造図面、製造回路、材料部品原価、購入価格、カタログなどの製造に関連した情報であって、対象としている貴重品１０を製造したり修理したり再発注する場合に必要となる情報である。
この情報を備えることで、万一その貴重品が盗難に遭ったり紛失されたり壊れたりした場合に、改めて入手したり、修理したりすることが可能になる。
【００３１】
貴重品１０のＩＣタグ２０に記憶される記念情報は、貴重品１０に関して、その貴重品１０を贈ったり作ったりした人の心情やその貴重品１０に対する思い入れ、その貴重品１０を購入したり贈られたり作成したりしたときのいきさつや事情、記念の言葉やお礼の言葉などを含む情報であり、これにより、思い出のページを開くことができる情報である。このような情報を伴うことによって、所有者のその貴重品１０に対する価値や思い入れがいっそう高められる。
【００３２】
貴重品１０のＩＣタグ２０に記憶される情報として、その貴重品１０を所有する者の住民票や保険証、運転免許書、パスポートの記載などの本人証明情報を含ませることもできる。所有者がその貴重品１０を常時携行しておれば、所有者の身分証明として用いることができるし、身元確認にも用いることができる。それによって、この貴重品の価値を更に高めることができる。
【００３３】
貴重品１０のＩＣタグ２０に記憶される情報として本人証明や特定の符号などを記録させておけば、その貴重品１０を所有者のセキュリティキーとして用いることができる。
例えば、住まいの玄関や自動車、金庫の扉などに端末３０の機能を持たせておき、所有者がその貴重品１０を常時携行して、必要時にこれらの端末３０にかざせば、端末３０が所有者情報を認識して扉を開くなど、セキュリティキーとしての機能を果たすことができる。
【００３４】
ところで、ＲＦＩＤの近距離無線通信の可能距離範囲は用いられる周波数によって差があるが、数ｍｍから数ｍぐらいである。したがって、貴重品１０にＩＣタグ２０が設けられ、端末３０からＩＣタグ２０にアクセスが可能であることで、貴重品１０が端末から数ｍｍから数ｍぐらいの距離範囲に存在していることが分かり、貴重品１０の所在を確認することができる。
これを用いて、固定された端末３０に連続してあるいは所定の繰り返し周期でＩＣタグ２０を読取る位置検出手段を設け、この位置検出手段で読取りができれば貴重品１０がほぼもとの位置に移動しないであり、もし、読取りできなければ、貴重品１０が別の位置に移動したこと、その移動が予定されたものでなければ盗難などの異常事態が発生したことが分かる。
【００３５】
この端末３０には撮像装置を設けておき、貴重品１０が普段保存されている場所の周辺や、貴重品１０が普段置かれている部屋の入口、家屋の玄関などが撮影できる位置に設置しておいて、このように、貴重品１０の盗難などの異常事態の発生が検出された場合にはすぐさま撮像して、証拠になる映像を残せるようにすることもできる。
【００３６】
なお、ＩＣタグおよびリーダは、一般に、１００ｋＨｚ帯、１３．５６ＭＨｚ帯のＨＦ帯が用いられているが、９２０ＭＨｚ帯や２．４５ＧＨｚ帯等のＵＨＦ帯を用いたり、場合によってはＶＨＦ帯で用いたりしているものもあり、通信距離を取りたい場合には、ＶＨＦやＵＨＦ帯を用いてもよい。
【産業上の利用可能性】
【００３７】
本発明の貴重品管理システムは、以上のように構成されて機能するので、各々の貴重品１０について、それぞれに関する各種の情報を保存して必要に応じて取り出して閲覧できるとともに、それらの貴重品１０の現在の所在を確認するなどの管理を行うことができ、貴重品の盗難を防止することもできる。
したがって、一般の家庭やオフィスなどでの貴重品管理に有効であり、広範な産業分野で広く利用される可能性を有している。
【符号の説明】
【００３８】
１０    貴重品
２０    ＩＣタグ
２１    筒型ＩＣタグ
２２    金属対応ＩＣタグ
３０    端末
４０    基地局
５０    ネットワーク
６１，６２    サーバ
２１１，２２１  ＩＣチップ
２１２，２２２  コイル
２１３，２２３  磁性体
２１４、２２４  プラスチック
２１５  ガイド
２１６  真珠
２１７  蓋
２２５  金属板
２３１  宝石
２３２  リング
【図１】
2012073382.tif 000003
【図２】
2012073382.tif 000004
【図３】
2012073382.tif 000005
【図４】
2012073382.tif 000006
【手続補正書】
【提出日】平成24年8月16日(2012.8.16)
【手続補正１】
【補正対象書類名】特許請求の範囲
【補正対象項目名】全文
【補正方法】変更
【補正の内容】
【特許請求の範囲】
【請求項１】
宝石、ブランド品などの高価な貴重品や記念となる品（以下単に貴重品と記述する）に埋め込みまたは封止して実装されるタグと、
前記タグに記録された前記貴重品にまつわる文字情報、画像情報、音声情報又はアドレス情報を読み取る読取手段と、該読取手段で読み取った前記文字情報、画像情報、音声情報を再生、表示する再生表示手段と、該文字情報、画像情報、音声情報があらかじめ記憶され前記アドレス情報でアクセスされる記憶手段と、前記読取手段で読み取った前記アドレス情報を通信回線を介して送信する送信手段とを備えた端末と、
前記通信回線を介して前記端末と接続され、前記送信手段で送信された前記アドレス情報を受信してこの情報をもとに予め記憶している前記文字情報、画像情報、音声情報を前記端末に返送するサーバと、を備えて構成され、
前記端末は、前記貴重品にまつわる文字情報、画像情報、音声情報の容量が少ない場合は前記再生表示手段で読み出して直接再生表示し、該文字情報、画像情報、音声情報の容量が大きい場合は前記アドレス情報に基づき前記記憶手段又は前記サーバにアクセスしてこれらに記憶された前記文字情報、画像情報、音声情報を読み出して再生表示させることを特徴とする貴重品の関連情報提供システム。
【請求項２】
前記文字情報、画像情報、音声情報は、前記貴重品に関して、その全容、形状、寸法、重量、色彩、模様、構造などの外観情報やそれを示す写真、絵画などを含むことを特徴とする請求項１に記載の貴重品の関連情報提供システム。
【請求項３】
前記文字情報、画像情報、音声情報は、前記貴重品に関して、その製造者、製造年月日、製造番号、製造図面、製造回路、カタログなどの製造情報を含むことを特徴とする請求項１に記載の貴重品の関連情報提供システム。
【請求項４】
前記文字情報、画像情報、音声情報は、前記貴重品に対して、それを贈ったり、作ったりした人の心情や思い入れ、贈与や作成にまつわる事情や、記念の言葉などの記念情報を含むことを特徴とする請求項１に記載の貴重品の関連情報提供システム。
【請求項５】
前記文字情報、画像情報、音声情報は、前記貴重品を所持する者の住民票や保険証、運転免許書、パスポートの記載などの本人証明情報を含むことを特徴とする請求項１に記載の貴重品の関連情報提供システム。
【請求項６】
前記タグは、ＲＦＩＤまたはＩＣタグであることを特徴とする請求項１ないし５の何れか１項に記載の貴重品の関連情報提供システム。
【請求項７】
前記タグは、金属面用の磁界形のＲＦＩＤまたはＩＣタグであることを特徴とする請求項６に記載の貴重品の関連情報提供システム。
【請求項８】
前記端末は、携帯電話端末を含む携帯端末であることを特徴とする請求項１ないし７の何れか１項に記載の貴重品の関連情報提供システム。
【請求項９】
前記端末を、自宅、金庫、自動車などのドアに設置し、前記貴重品に付された前記タグからの情報を読み取らせて、前記タグの情報をセキュリティキーとして用いることを特徴とする請求項６または７に記載の貴重品の関連情報提供システム。
【請求項１０】
前記端末は、定期的に前記タグの情報を読み取ることで、前記貴重品の所在を検出する位置検出手段を備えることを特徴とする請求項６または７に記載の貴重品関連情報提供システム。
【請求項１１】
前記端末は、撮像手段を備え、前記位置検出手段が前記貴重品の所在の異常を検出したときに撮像を行うことを特徴とする請求項１０に記載の貴重品の関連情報提供システム。
【手続補正２】
【補正対象書類名】明細書
【補正対象項目名】０００６
【補正方法】変更
【補正の内容】
【０００６】
以上の課題を解決するため、本発明の貴重品の関連情報提供システムは、宝石、ブランド品などの高価な貴重品や記念となる品（以下単に貴重品と記述する）に埋め込みまたは封止して実装されるタグと、前記タグに記録された前記貴重品にまつわる文字情報、画像情報、音声情報又はアドレス情報を読み取る読取手段と、該読取手段で読み取った前記文字情報、画像情報、音声情報を再生、表示する再生表示手段と、該文字情報、画像情報、音声情報があらかじめ記憶され前記アドレス情報でアクセスされる記憶手段と、前記読取手段で読み取った前記アドレス情報を通信回線を介して送信する送信手段とを備えた端末と、前記通信回線を介して前記端末と接続され、前記送信手段で送信された前記アドレス情報を受信してこの情報をもとに予め記憶している前記文字情報、画像情報、音声情報を前記端末に返送するサーバと、を備えて構成され、前記端末は、前記貴重品にまつわる文字情報、画像情報、音声情報の容量が少ない場合は前記再生表示手段で読み出して直接再生表示し、該文字情報、画像情報、音声情報の容量が大きい場合は前記アドレス情報に基づき前記記憶手段又は前記サーバにアクセスしてこれらに記憶された前記文字情報、画像情報、音声情報を読み出して再生表示させることを特徴とする。
【手続補正３】
【補正対象書類名】明細書
【補正対象項目名】００１３
【補正方法】削除
【補正の内容】
【手続補正書】
【提出日】平成25年1月16日(2013.1.16)
【手続補正１】
【補正対象書類名】特許請求の範囲
【補正対象項目名】全文
【補正方法】変更
【補正の内容】
【特許請求の範囲】
【請求項１】
宝石、ブランド品などの高価な貴重品や記念となる品（以下単に貴重品と記述する）に埋め込みまたは封止して実装される金属面用の磁界形のＲＦＩＤまたはＩＣタグと、
前記タグに記録された前記貴重品にまつわる文字情報、画像情報、音声情報又はアドレス情報を読み取る読取手段と、
該読取手段で読み取った前記文字情報、画像情報、音声情報を再生、表示する再生表示手段と、
該文字情報、画像情報、音声情報があらかじめ記憶され前記アドレス情報でアクセスされる記憶手段と、
前記読取手段で読み取った前記アドレス情報を通信回線を介して送信する送信手段とを備えた端末と、
前記通信回線を介して前記端末と接続され、前記送信手段で送信された前記アドレス情報を受信してこの情報をもとに予め記憶している前記文字情報、画像情報、音声情報を前記端末に返送するサーバと、を備えて構成され、
前記端末は、前記貴重品にまつわる文字情報、画像情報、音声情報の容量が少ない場合は前記再生表示手段で読み出して直接再生表示し、該文字情報、画像情報、音声情報の容量が大きい場合は前記アドレス情報に基づき前記記憶手段又は前記サーバにアクセスしてこれらに記憶された前記文字情報、画像情報、音声情報を読み出して再生表示させることを特徴とする貴重品の関連情報提供システム。
【請求項２】
前記文字情報、画像情報、音声情報は、前記貴重品に関して、その全容、形状、寸法、重量、色彩、模様、構造などの外観情報やそれを示す写真、絵画などを含むことを特徴とする請求項１に記載の貴重品の関連情報提供システム。
【請求項３】
前記文字情報、画像情報、音声情報は、前記貴重品に関して、その製造者、製造年月日、製造番号、製造図面、製造回路、カタログなどの製造情報を含むことを特徴とする請求項１に記載の貴重品の関連情報提供システム。
【請求項４】
前記文字情報、画像情報、音声情報は、前記貴重品に対して、それを贈ったり、作ったりした人の心情や思い入れ、贈与や作成にまつわる事情や、記念の言葉などの記念情報を含むことを特徴とする請求項１に記載の貴重品の関連情報提供システム。
【請求項５】
前記文字情報、画像情報、音声情報は、前記貴重品を所持する者の住民票や保険証、運転免許書、パスポートの記載などの本人証明情報を含むことを特徴とする請求項１に記載の貴重品の関連情報提供システム。
【請求項６】
前記端末は、携帯電話端末を含む携帯端末であることを特徴とする請求項１ないし５の何れか１項に記載の貴重品の関連情報提供システム。
【請求項７】
前記端末を、自宅、金庫、自動車などのドアに設置し、前記貴重品に付された前記タグからの情報を読み取らせて、前記タグの情報をセキュリティキーとして用いることを特徴とする請求項１に記載の貴重品の関連情報提供システム。
【請求項８】
前記端末は、定期的に前記タグの情報を読み取ることで、前記貴重品の所在を検出する位置検出手段を備えることを特徴とする請求項１に記載の貴重品関連情報提供システム。
【請求項９】
前記端末は、撮像手段を備え、前記位置検出手段が前記貴重品の所在の異常を検出したときに撮像を行うことを特徴とする請求項８に記載の貴重品の関連情報提供システム。
【手続補正２】
【補正対象書類名】明細書
【補正対象項目名】０００６
【補正方法】変更
【補正の内容】
【０００６】
以上の課題を解決するため、本発明の貴重品の関連情報提供システムは、宝石、ブランド品などの高価な貴重品や記念となる品（以下単に貴重品と記述する）に埋め込みまたは封止して実装される金属面用の磁界形のＲＦＩＤまたはＩＣタグと、前記タグに記録された前記貴重品にまつわる文字情報、画像情報、音声情報又はアドレス情報を読み取る読取手段と、該読取手段で読み取った前記文字情報、画像情報、音声情報を再生、表示する再生表示手段と、該文字情報、画像情報、音声情報があらかじめ記憶され前記アドレス情報でアクセスされる記憶手段と、前記読取手段で読み取った前記アドレス情報を通信回線を介して送信する送信手段とを備えた端末と、前記通信回線を介して前記端末と接続され、前記送信手段で送信された前記アドレス情報を受信してこの情報をもとに予め記憶している前記文字情報、画像情報、音声情報を前記端末に返送するサーバと、を備えて構成され、前記端末は、前記貴重品にまつわる文字情報、画像情報、音声情報の容量が少ない場合は前記再生表示手段で読み出して直接再生表示し、該文字情報、画像情報、音声情報の容量が大きい場合は前記アドレス情報に基づき前記記憶手段又は前記サーバにアクセスしてこれらに記憶された前記文字情報、画像情報、音声情報を読み出して再生表示させることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【国際調査報告】
2012073382.tif 000007
2012073382.tif 000008
2012073382.tif 000009
2012073382.tif 000010